【事件の表示】
　平成　８年商標登録願第　９３０１６号拒絶査定に対する審判事件について、次のとおり審決する。
【結　論】
　本件審判の請求は、成り立たない。
【理　由】
第１　本願商標
　本願商標は、後掲のとおりの構成よりなり、第１８類「原革，原皮，なめし皮，毛皮，革ひも，かばん類，袋物，携帯用化粧道具入れ，かばん金具，がま口口金，傘，ステッキ，つえ，つえ金具，つえの柄，乗馬用具，愛玩動物用被服類」を指定商品として、平成８年８月２２日に登録出願されたものである。
　
第２　当審における引用商標
　当審が引用した登録商標は、以下のとおりである。
引用番号　　引用商標
　１ 　　　登録第１３４６７５４号（商公昭５２−６６７３７）
           
           指定商品    第２４類「おもちや、人形、娯楽用具、運動具、釣り具、楽器、演奏補助品、蓄音機、レコード、これらの部品及び附属品」
           出願日      昭和４８年６月８日
           登録日      昭和５３年９月２９日
　
　２　　　 登録第１９２３９４７号（商公昭６１−８９０１）
         　
           指定商品    第２１類「バンド類、ボタン類、かばん類、袋物、宝玉およびその模造品、造花」
           出願日      昭和４８年６月８日
           登録日      昭和６２年１月２８日
　
　３　　　 登録第２３５９３０５号（商公平３−１４６０５）
         　
           指定商品    第１９類「台所用品（電気機械器具、手動利器および手動工具に属するものを除く）日用品（他の類に属するものを除く）」
           出願日      平成元年８月２２日
           登録日      平成３年１２月２５日
　
　４　　　 登録第２４１２５０２号（商公平３−７１７８２）
         　
           指定商品    第２１類「装身具、ボタン類、かばん類、袋物、宝玉およびその模造品、造花、化粧用具」
           出願日      平成元年８月２２日
           登録日      平成４年５月２９日
　
　５ 　　　登録第２４６０６６６号（商公平４−４６９９）
           
           指定商品    第２４類「おもちや、人形、娯楽用具、運動具、釣り具、楽器、演奏補助品、蓄音機（電気蓄音機を除く）レコ―ド、これらの部品および附属品」
           出願日      平成元年８月２２日
           登録日      平成４年９月３０日
　
　６ 　　　登録第２４７０９６０号（商公平４−１６２０６）
           
           指定商品    第１３類「 キ―ホルダ―、その他本類に属する商品」
           出願日      昭和６３年８月１９日
           登録日      平成４年１０月３０日
　
　７ 　　　登録第３２０８３４４号（商公平８−７３）
         　
 
　指定商品    第２５類「洋服，コ―ト，セ―タ―類，ワイシャツ類，寝巻き類，下着，水泳着，水泳帽，和服，エプロン，えり巻き，靴下，ゲ―トル，毛皮製スト―ル，ショ―ル，スカ―フ，足袋，足袋カバ―，手袋，布製幼児用おしめ，ネクタイ，ネッカチ―フ，マフラ―，耳覆い，ずきん，すげがさ，ナイトキャップ，ヘルメット，帽子，ガ―タ―，靴下止め，ズボンつり，バンド，ベルト，靴類，靴合わせくぎ，靴くぎ，靴の引き手，靴びょう，靴保護金具，げた，草履類，運動用特殊衣服，運動用特殊靴，乗馬靴」
           出願日      平成５年１月１２日
           登録日      平成８年１０月３１日
　
  ８ 　　　登録第３２１６９７０号（商公平８−１４８５６）
         　
           指定商品    第２８類「遊戯用器具，ビリヤ―ド用具，囲碁用具，将棋用具，さいころ，すごろく，ダイスカップ，ダイヤモンドゲ―ム，チェス用具，チェッカ―用具，手品用具，ドミノ用具，マ―ジャン用具，おもちゃ，人形，愛玩動物用おもちゃ，運動用具，スキ―ワックス，釣り具」
           出願日      平成５年１月１２日
           登録日    　平成８年１０月３１日
　
  ９　　　 登録第３２２４０７１号（商公平８−２４１１２）
           
           指定商品    第１８類「原革，原皮，なめし皮，毛皮，革ひも，かばん類，袋物，携帯用化粧道具入れ，かばん金具，がま口口金，傘，ステッキ，つえ，つえ金具，つえの柄，乗馬用具，愛玩動物用被服類」
           出願日      平成５年１月１２日
           登録日      平成８年１１月２９日
　
１０　　　 登録第３２３５５２８号（商公平８−３６０２７）
         　
           指定商品    第１４類「貴金属，貴金属製食器類，貴金属製のくるみ割り器・こしょう入れ・砂糖入れ・塩振出し容器・卵立て・ナプキンホルダー・ナプキンリング・盆及びようじ入れ，貴金属製の花瓶及び水盤，貴金属製針箱，貴金属製宝石箱，貴金属製のろうそく消し及びろうそく立て，貴金属製のがま口及び財布，貴金属製靴飾り，貴金属製コンパクト，貴金属製喫煙用具，身飾品，宝玉及びその模造品，宝玉の原石，時計，記念カップ，記念たて」
           出願日      平成５年１月１２日
           登録日      平成８年１２月２５日
　
１１　　　 登録第３２７７６７５号（商公平８−８５１３３）
           　
           指定商品    第１８類「皮革製（合成皮革製を含む）・織物製（キャンバス地製を含む）及びこれら素材の組合せより成る手提げかばん・アタッシュケース・ブリーフケース・ハンドバッグ及びその他のかばん類，皮革製（合成皮革製を含む）・織物製（キャンバス地製を含む）及びこれら素材の組合せより成る財布・札入れ・キーケース及びその他の袋物」
           出願日      平成５年７月１２日
           登録日      平成９年４月１１日
　
１２ 　　　登録第３２８８３９０号（商公平８−１０２３４３）
           
　
 　指定商品    第２５類「ジャケット，ズボン，シャツ，パンツ，ドレス，セーター，ティーシャツ，スエットシャツ，コート，パーカ，チョッキ，ネクタイ，スカーフ，靴下，帽子，その他の被服，ガーター，靴下止め，ズボンつり，バンド，ベルト，スリッパ，靴類，その他の履物，運動用特殊衣服，運動用特殊靴」
           出願日      平成６年４月１４日
           登録日      平成９年４月２５日
　
１３ 　　　登録第４０５５２７１号
           
           指定商品    第１８類「皮革，かばん類，袋物，携帯用化粧道具入れ，かばん金具，がま口口金，傘，ステッキ，つえ，つえ金具，つえの柄，乗馬用具，愛玩動物用被服類」
           出願日      平成６年２月７日
           登録日      平成９年９月１２日
　
１４ 　　　登録第４０５５２７２号
           
           指定商品    第１８類「皮革，かばん類，袋物，携帯用化粧道具入れ，かばん金具，がま口口金，傘，ステッキ，つえ，つえ金具，つえの柄，乗馬用具，愛玩動物用被服類」
           出願日      平成６年２月７日
           登録日      平成９年９月１２日
　
１５ 　　　登録第４０８６０１２号
           
           指定商品    第１８類「スーツケース，アタッシュケース，書類入れかばん，手提げかばん，肩掛けかばん，ハンドバッグ，その他のかばん類，財布（貴金属製のものを除く。），札入れ，小銭入れ，キーケース，その他の袋物，携帯用化粧道具入れ」
           出願日      平成６年４月１４日
           登録日      平成９年１１月２８日
　
第３　当審の判断　
　本願商標は、後掲の構成よりなるものであるところ、当審において、上記第２の登録商標を引用して、「本願商標は、商標法第４条第１項第１１号に該当する。」との拒絶の理由を通知したが、請求人より意見を述べるところがなかった。
　そして、上記理由は、妥当なものと認められる。
　よって、結論のとおり審決する。